(57)【要約】【課題】集積回路等に構成される電子回路のように回路端子間隔が小さくなった場合、変形部の材料配置空間がなく、適切な動作ストロークと接触圧を確保できなかったため、接触子の制作誤差、回路端子の機械停止位置のばらつきにも対応できる、適切な変形部分の占有空間を確保できる面配列式接触子組立の機構を提供すること。【解決手段】被試験回路の回路端子の格子座標軸と一定角度傾斜させて薄板状接触子を配置し、前記格子の複数ピッチにまたがる長さで配置しても他の接触子との干渉がないものとし、変形動作方向に一定の幅と厚さを有し横方向にも長い材料取りを可能にし、撓みに関与できる材料取り空間を大きくした。【選択図】図１
2010122235.tif 000002
【特許請求の範囲】
【請求項１】
全体が直線薄板状に一体に形成されて、
基端部に設けられ試験回路に固定、接続される出力部（５）と、
先端部に設けられ被試験回路の回路端子に対向される入力部（２）と、
前記出力部（５）と前記入力部（２）との間に介在し、前記入力部（２）が前記回路端子（６）に接触したときに、前記入力部（２）を上下移動させるように、変形する変形部（４）とを備え、
前記変形部（４）と前記出力部（５）との間及び前記変形部（４）と入力部（２）との間に屈曲部が形成されており、
前記変形部（４）は側面形状が前記出力部（５）と前記入力部（２）との間に高低差を付ける平行四辺形の薄板状に形成されて成る接触子を、複数個、
前記側面に対して垂直の方向に所定の間隔を開けて積層配置する一方、隣接する接触子の間で前記側面の方向に順次所定の寸法だけずらして配置して成る積層型接触子と、
面配列された複数の回路端子（６）を有し、前記積層型接触子の前記入力部（２）に対向配置される被試験回路と、
から成る積層型接触子組立体。
【請求項２】
前記被試験回路の回路端子（６）の配列面をｘ−ｙ直交平面とし、ｘ−ｙ直交平面に対して垂直な方向をｚ方向とするｘ、ｙ、ｚ３次元直交座標のｘ方向に、前記複数の接触子が線状に配置されて成ることを特徴とする請求項１記載の積層型接触子組立体。
【請求項３】
前記被試験回路の回路端子（６）の配列面をｘ−ｙ直交平面とし、ｘ−ｙ直交平面に対して垂直な方向をｚ方向とするｘ、ｙ、ｚ３次元直交座標のｘ方向に、前記複数の接触子が線状にかつｙ方向に複数列配置されて成ることを特徴とする請求項１記載の積層型接触子組立体。
【請求項４】
前記被試験回路の回路端子（６）の配列面をｘ方向とこのｘ方向に対して角度θ（θ≠９０度）をなすｙ方向とで規定されるｘ−ｙ斜交座標平面とし、ｘ−ｙ斜交座標平面に対して垂直な方向をｚ方向とするｘ、ｙ、ｚ３次元座標のｘ方向に、前記複数の接触子の入力部（２）が所定のピッチ間隔で配置される一方、前記複数の積層型接触子が前記斜交座標平面のｙ方向に延びるように配置されて成ることを特徴とする請求項１記載の積層型接触子組立体。
【発明の詳細な説明】
【技術分野】
【０００１】  本発明は、回路端子の配列が平面状をなす電子デバイスの回路検査等に使用する電気接続用の積層型接触子及び平面状に回路端子が配置された電子部品用コネクターに関する。
【背景技術】
【０００２】  垂直方向に変形する弾性体の変形と、変形によって発生する力を利用して接触子と回路端子間に接触圧を得る方法があった。弾性体には、コイルばねが利用されていた。しかし集積回路の発展に伴い、回路網が微細化し、これを試験するための接触子に要求されるピッチも非常に小さくなった。その結果１個の接触子に割り当てられる弾性体材料の占有できる空間に不足を生じ、適切なばね定数を有する接触子を実現することは難しかった。弾性変形量が小さくなると、動作範囲が狭くなるため、接触子の制作誤差、接触子を内蔵する装置の接触動作時の機械停止誤差等が発生すると、適切な接触圧が得られない欠点があった。
【発明の概要】
【発明が解決しようとする課題】
【０００３】本発明は上記従来の問題点に鑑みてなされたもので、その目的は集積回路等に構成される電子回路のように回路端子間隔が小さくなった場合、変形部の材料配置空間がなく、適切な動作ストロークと接触圧を確保できなかったため、接触子の制作誤差、回路端子の機械停止位置のばらつきにも対応できる、適切な変形部分の占有空間を確保できる面配列型接触子組立の機構を提供することである。
【課題を解決するための手段】
【０００４】図１に示すような薄板状接触子１の変形部４において、適切な接触圧と動作ストロークを得るためには、適切な長さａ、幅ｂ、厚さｃが要求される。一定の格子ピッチにおいて、面配列型接触子組立において、１つの接触子に対してｚ方向には許容される空間はある程度確保できるが、ｘｙ平面において占有できるスペースの割り当てが制限されている。複数の同一形状接触子配列するとき、占有空間が斜めに長い変形部即ち概略平行四辺形断面を有するの変形部を有し、個々の接触子の高さ方向の位相差を利用し、斜めに長い変形部の長さが確保できるものとした。即ち長さａの確保ができる構造とした。【０００５】また、被試験回路の回路端子の格子座標軸と一定角度傾斜させて薄板状接触子を配置し、前記格子の複数ピッチにまたがる長さで配置しても他の接触子との干渉がないものとし、変形動作方向に一定の幅と厚さを有し横方向にも長い材料取りを可能にし、撓みに関与できる材料取り空間を大きくした。即ち一定角度傾斜して配置することにより幅ｂ、厚さｃの確保が出来る構造とした。
【発明の効果】
【０００６】本発明は、上記実施の形態から明らかなように、一定の格子ピッチで、面配列型接触子組立において、１つの接触子に対してｚ方向には許容される空間はある程度確保できるが、ｘｙ平面において占有できるスペースの割り当てが制限されている場合、複数の同一形状接触子配列するとき、占有空間が斜めに長い変形部即ち概略平行四辺形断面を有する変形部を有し、個々の接触子の高さ方向の位相差を利用し、斜めに長い変形部の長さが確保できるものとした。【０００７】集積回路等に構成される電子回路のように回路端子間隔が小さくなった場合、変形部の材料配置空間がなく、適切な動作ストロークと接触圧を確保できなかったため、接触子の制作誤差、回路端子の機械停止位置のばらつきにも対応できる、適切な変形部分の占有空間を確保できる面配列式接触子の機構を可能とした。
【図面の簡単な説明】
【０００８】
【図１】本発明を具体化した実施の形態１の接触子１の側面図
【図２】実施の形態１の線配列ユニットの正面図
【図３】線配列ユニットの平面図
【図４】本発明を具体化した実施の形態２の面配列接触子組立の平面図
【図５】実施の形態２の面配列組立の投影図
【図６】本実施の形態３の正面図
【図７】図６のＤ−Ｄ断面
【発明を実施するための形態】
【０００９】本発明の請求項１に記載の発明は、接触部と該接触部からｙ方向及びｚ方向方向に適当量変位した位置に固定部及び出力部を有し、固定部と接触部の間を連結する斜めに長い（接触部が下で固定部が上）変形部を有する一体化された同一形状の斜めに長い変形部を有する薄板状接触子をｙ方向に複数個配置し、変形部の高低の位相差により干渉がなく、被試験回路の端子間隔に比べて斜めに長い変形部を有することを特徴とする積層型接触子立。
【００１０】  本発明の請求項２に記載の発明は、請求項１に記載の接触子組立をｘ方向に複数個配列して成る面配列型接触子組立であり、ｙ方向に長い変形部を有する接触子の面配列型被試験の回路端子に対応できる積層型接触子を提供するものである。
【００１１】  本発明の請求項３に記載の発明は、請求項１に記載の接触子組立をｘ方向と一定の角度を成しｘ方向の被試験回路の回路端子に対向して複数配置して斜交座標系を形成し、接触子の長さ、幅、厚さを適切に確保できる面配列型積層型接触子。
【００１２】  本発明の請求項４に記載の発明は、請求項３に記載の接触子組立において、三角形Ｉ（ｉ−ｎ，ｊ）Ｉ（ｉ，ｊ）Ｉ（ｉ−ｎ，ｊ＋１）において、∠Ｉ（ｉ−Ｒｎ，ｊ）Ｉ（ｉ，ｊ）Ｉ（ｉ−ｎ，ｊ＋１）
は直角であることを特徴とする直交格子配列型である。
【００１３】    以下、本発明の実施の形態について図面を用いて説明する。
（実施の形態１）
図１は本発明を具体化した実施の形態１の接触子１の側面図である。図１において符号１は接触子、２は入力部、３は固定部、４は変形部、５は出力部、６は回路端子、７は支持部、８は接続回路である。
【００１４】    接触子１は入力部２と固定部３と変形部４から成り立っている。入力部２は回路端子６と対向してありその先端部が鋭利な凸状をなしている。固定部３は被試験回路の回路端子６と前記薄板状の接触子１を一定の距離関係を維持するべく支持部７に固定されている。変形部４は図１の実線及び破線で示す概略平行四辺形形状を有し、固定部３と入力部２の中間に位置し、固定部３が支持部７に連結固定されているため、片持ち梁の状態となって作用する。回路試験時、回路端子６と入力部２が接触し上下移動動作をするとき、変形部４が片持ち梁の条件の変形をする。出力部５は固定部３の一部分であり、試験回路（図示せず）等の接続回路と接続している。回路端子６は被試験回路等の接続端子で試験回路との電気的導通は接触子１を通じて達成される。接続回路８はプリント基板等と同様の回路配線を有し出力部５と電気的接続がなされている。接触子１の出力部２と回路端子６の間に適当な接触圧と動作ストロークを生じさせるには、変形部４にモーメントが作用する適当な長さと断面が必要である。本実施の形態１においては特に変形部４の横方向の長さを必要とする場合に有効である。
【００１５】    図２は実施の形態１の線配列ユニットの正面図である。図３は線配列ユニットの平面図である。図２において回路端子６、支持部７、接続回路８は図２を複雑化するため省略されているが実際は存在していて図１について説明した通りの作用を有する。図２は図１に説明した接触子１が等間隔に配置されたものでそのピッチはｐである。また接触子１の変形部の横方向概略の長さはａである。変形部の高さは概略ｈである。本接触子の形状上の特徴は接触子１の一端である入力部２と固定部３は高さ方向に高低差を有し（本実施の形態１の場合は入力部２が低く固定部３が高い）、配列された同一形状の接触子が高低差によって干渉しない様に配列されている。Ｉ（ｉ，１），Ｉ（ｉ，２），……，Ｉ（ｉ，ｊ），・……Ｉ（ｉ，ｌ）は配列された入力部２に付けられた入力座標番号であり、Ｏ（ｉ，１），Ｏ（ｉ，２），…・，Ｏ（ｉ，ｊ），……・・，Ｏ（ｉ，ｌ）の出力部５に付けられた出力座標番号である。入力座標番号Ｉ（ｉ，ｊ）の入力部２と出力座標番号Ｏ（ｉ，ｊ）の出力部５は電気的に導通である。ａはｐと比較して非常に大きい値を可能とすることによって横に長い接触子を得ることを可能としている。この方式はピッチがある程度粗く前記した変形部の断面の高さｃがある程度大きい値を作用させる事が可能である場合には有効である。
【００１６】    （実施の形態２）
実施の形態２は、線配列ユニット１１の接触部をｘ方向に配列した直線状の回路端子と一致させ、ｘ方向に同線配列ユニット１１を複数配置して面配列型回路端子に対応することを可能にしたものである。図４は実施の形態２の面配列接触子組立の平面図を示す。図５は実施の形態２の面配列組立の投影図である。
【００１７】    （実施の形態３）
実施の形態３は、線配列ユニット１１の接触子１の配列間隔ｐの１／複数の格子ピッチの面配列に対応でき、基本的には線配列ユニット１１の接触子の形状を維持したままでも達成する機構方式である。図６は本実施の形態３の正面図である。図７は図６のＤ−Ｄ断面を示す。実施の形態３は、線配列ユニット１１をｘ方向と一定角Ａ°傾斜して等間隔にｋ個配列したものである。図６において配列間隔ｐは配列ユニット１１のｘ方向の配列ピッチｓと比べると複数倍大きい。また配列ピッチｓは接触子の板厚ｔ複数倍に相当する。この様な線配列ユニット１１の配置によりＸＹ斜交座標系が構成される。入力座標番号Ｉ（ｉ，ｊ）及び出力座標番号Ｏ（ｉ，ｊ）でｉはｘ方向の座標番号を示し、ｉ＝１，２，・…，ｉ，…・・，ｋで表す。ｊはｙ方向の座標番号であり、ｊ＝１，２，……・，ｊ，……ｌで表す。
【００１８】    例えば、ｔ＝０，０２ｍｍの板厚でｓ＝０．２ｍｍ、ｐ＝０．８〜１ｍｍは可能となる。また前記した変形部の長さａもｐの複数倍を可能にする方式であるため、ｓ＝５〜８ｍｍ以上の値を取りうる。また図１に示したｂはｐより若干小さい値で十分である。ｃについてはｚ方向には十分に空間を確保できるので条件に合う値の選択が可能である。
【００１９】    また実施の形態３は斜交座標系から直交座標系を形成できるものである。ｎを斜交座標から直交格子を得るために関係する座標番号数（整数）で、図７に示すような入力座標番号Ｉ（ｉ，ｊ）位置座標とすると、三角形Ｉ（ｉ−ｎ，ｊ）Ｉ（ｉ，ｊ）Ｉ（ｉ−ｎ，ｊ＋１）において、三角形Ｉ（ｉ−ｎ，ｊ）Ｉ（ｉ，ｊ）Ｉ（ｉ−ｎ，ｊ＋１）において、∠Ｉ（ｉ−ｎ，ｊ）Ｉ（ｉ，ｊ）Ｉ（ｉ−ｎ，ｊ＋１）
が直角であるとき、入力座標はｎピッチ離れた接触子と関係を有する直交格子状の配列となる。この様に直交格子状に配列される座標系をＸｒＹｒ座標系により示す。一般的に、面配列型の被試験回路の回路端子は直交格子状に配列さているので、直交ＸｒＹｒ座標系を使用することにより対応できる。本実施の形態３においては、線配列ユニット１１の複数個の配列組立により実施の形態３の実現したが、接触子１を図７に示すような関係の配列を実現すれば特に線配列ユニット１１の組立による実現である必要はない。
【００２０】    本発明は、上記実施の形態から明らかなように、一定の格子ピッチで、面配列型接触子組立において、１つの接触子に対してｚ方向には許容される空間はある程度確保できるが、ｘｙ平面において占有できるスペースの割り当てが制限されている場合、複数の同一形状接触子配列するとき、占有空間が斜めに長い変形部即ち概略平行四辺形断面を有する変形部を有し、個々の接触子の高さ方向の位相差を利用し、斜めに長い変形部の長さが確保できるものとした。
【００２１】    集積回路等に構成される電子回路のように回路端子間隔が小さくなった場合、変形部の材料配置空間がなく、適切な動作ストロークと接触圧を確保できなかったため、接触子の制作誤差、回路端子の機械停止位置のばらつきにも対応できる、適切な変形部分の占有空間を確保できる面配列式接触子の機構を可能とした。
【符号の説明】
【００２２】１  接触子
２  入力部
３  固定部
４  変形部
５  出力部
６  回路端子
７  支持部
８  接続回路
１１  線配列ユニット
ａ  接触子１の長さ
Ａ°  接触子１のＸ軸と成す角度
ｂ  接触子１の幅
ｃ  接触子１の厚さ
ｉ  ｘ方向の座標番号
ｊ  ｙ方向の座標番号
ｋ  接触子１のＸ方向の配列数
ｌ  接触子１のＹ方向への配列数
ｎ  斜交座標から直交格子を得るために関係する座標番号数（整数）
ｐ  接触子１の配列ピッチ
ｓ  ｘ方向の格子ピッチ
ｔ  接触子１の板厚
Ｉ（ｉ，ｊ）  入力座標番号
Ｏ（ｉ，ｊ）  出力座標番号
ＸＹ  斜交座標
ＸｒＹｒ  直交座標
【図１】
2010122235.tif 000003
【図２】
2010122235.tif 000004
【図３】
2010122235.tif 000005
【図４】
2010122235.tif 000006
【図５】
2010122235.tif 000007
【図６】
2010122235.tif 000008
【図７】
2010122235.tif 000009